(57)【要約】【課題】スピーカーシステムが、音質が劣化する故障を検出して表示し得るようにする。【解決手段】スピーカーシステム１が、スピーカーユニット１２が断線すると、スピーカー１２２に接続された抵抗１６２の電位が上昇したことを検出してオン状態となるスイッチ回路と、発光ダイオード１５１によって構成され、スイッチ回路がオン状態となると点灯状態となる表示回路とを具備する。これにより、スピーカーユニット１２が故障して絶縁状態となると、発光ダイオード１５１が点灯することにより故障表示を行う。【選択図】図１
2012175179.tif 000002
【特許請求の範囲】
【請求項１】
複数のスピーカーユニットと、
前記複数のスピーカーユニットの何れかの故障を検出すると、故障を示す表示を行う故障表示回路と、
を具備することを特徴とするスピーカーシステム。
【請求項２】
前記故障表示回路は、前記複数のスピーカーユニットの何れかに入力される音声信号にて動作することを特徴とする請求項１に記載のスピーカーシステム。
【請求項３】
前記故障表示回路は、
前記複数のスピーカーユニットの何れかと並列に接続されるスイッチ回路と、
前記スイッチ回路が導通状態となることにより前記故障を示す表示を行う表示回路と、
を具備することを特徴とする請求項１または請求項２に記載のスピーカーシステム。
【発明の詳細な説明】
【技術分野】
【０００１】
本発明は、複数のスピーカーユニットを具備するスピーカーシステムに関する。
【背景技術】
【０００２】
音響装置の中には、カラオケ装置など商用に用いられるものがあり、音響装置が故障した際の営業への影響を抑えるべく、幾つかの故障対策が提案されている。
例えば、特許文献１に記載のカラオケ装置は、映像データベースを２つの外部記憶装置に分割して記憶し、何れかの外部記憶装置が故障した場合、代替映像処理手段を実行する。これにより、ハードディスク装置が故障しても、休止しないで連続稼動できるとされている。
また、特許文献２に記載の楽音再生システムは、曲データを送信する２つのサーバを備える。そして、所定の時間になると、故障検出結果を示す応答信号を各サーバから受信して故障したサーバを検出し、故障したサーバがある場合は、そのサーバをエントリーから消去する。これにより、サーバが故障した場合であっても、故障していない他のサーバにより曲データを送信し、カラオケができなくなるのを防止できるとされている。
【先行技術文献】
【特許文献】
【０００３】
【特許文献１】特開２００２−１０８３７０号公報
【特許文献２】特開平１０−９１１７４号公報
【発明の概要】
【発明が解決しようとする課題】
【０００４】
音響装置の故障としては、音響装置が動作しなくなる故障のみならず、スピーカーシステムの故障など音質が劣化する故障も考えられる。かかる故障により店舗のイメージが損なわれ、営業に影響するおそれがある。例えば、カラオケ店に設置されたカラオケ装置の具備するスピーカーシステムが故障して高音を出力しなくなった場合、顧客が、当該カラオケ装置の音質が悪いと感じて当該カラオケ店を敬遠するおそれがある。
ここで、カラオケ店としては、顧客または店員がスピーカーシステムの故障に気付けば、当該顧客からのクレームに応じて、あるいは、店員の判断で、スピーカーシステムを修理し、音質を改善して店舗のイメージを回復し得る。しかしながら、音質が劣化する故障の場合、カラオケ装置が動作することから、顧客や店員が故障と認識せず音質の劣化した状態が継続して、店舗のイメージが損なわれたままとなる可能性がある。
しかしながら、特許文献１や特許文献２には、かかる音質が劣化する故障に対する対策は示されていない。
【０００５】
本発明は、このような事情を考慮してなされたものであり、その目的は、音質が劣化する故障を検出して表示することのできるスピーカーシステムを提供することにある。
【課題を解決するための手段】
【０００６】
この発明は上述した課題を解決するためになされたもので、本発明の一態様によるスピーカーシステムは、複数のスピーカーユニットと、前記複数のスピーカーユニットの何れかの故障を検出すると、故障を示す表示を行う故障表示回路と、を具備することを特徴とする。
【０００７】
また、本発明の一態様によるスピーカーシステムは、上述のスピーカーシステムであって、前記故障表示回路は、前記複数のスピーカーユニットの何れかに入力される音声信号にて動作することを特徴とする。
【０００８】
また、本発明の一態様によるスピーカーシステムは、上述のスピーカーシステムであって、前記故障表示回路は、前記複数のスピーカーユニットの何れかと並列に接続されるスイッチ回路と、前記スイッチ回路が導通状態となることにより前記故障を示す表示を行う表示回路と、を具備することを特徴とする。
【発明の効果】
【０００９】
本発明によれば、スピーカーシステムが、音質が劣化する故障を検出して表示し得る。
【図面の簡単な説明】
【００１０】
【図１】本発明の一実施形態におけるスピーカーシステムの概略構成を示す回路図である。
【発明を実施するための形態】
【００１１】
以下、図面を参照して、本発明の実施の形態について説明する。
図１は、本発明の一実施形態におけるスピーカーシステムの概略構成を示す回路図である。同図において、スピーカーシステム１は、スピーカーユニット１１および１２と、コンデンサ１３１と、トランジスタ１４１〜１４３と、発光ダイオード１５１とを具備する。スピーカーユニット１１は、低音用スピーカー１１１を具備する。スピーカーユニット１２は、高音用スピーカー１２１および１２２を具備する。なお、ここでいう「スピーカーユニット」は、１つ以上のスピーカーを具備する音声出力回路である。
また、トランジスタ１４１〜１４３は、スイッチ回路を構成し、発光ダイオード１５１は、表示回路を構成する。
【００１２】
低音用スピーカー１１１と、高音用スピーカー１２１および１２２とは、いずれも、端子Ｔ１から電気信号にて供給される音声信号を音声に変換して出力する。低音用スピーカー１１１の口径は、高音用スピーカー１２１および１２２の口径よりも大きく、低音用スピーカー１１１が、より低音域の音声を出力し、高音用スピーカー１２１および１２２が、より高音域の音声を出力する。すなわち、スピーカーユニット１１は、低音を出力する低音ユニットであり、スピーカーユニット１２は、高音を出力する高音ユニットである。
【００１３】
コンデンサ１３１、ダイオード１５２および抵抗１６１は、平滑回路を構成して、端子Ｔ１から供給される音声信号を直流電流に変換する。この直流電流は、スイッチ回路および表示回路の電源として用いられる。
【００１４】
ここで、高音用スピーカー１２１または１２２あるいはその両方が断線すると、スイッチ回路は、高音用スピーカー１２２に接続された抵抗１６２を通してスピーカーユニット１２両端の電位差を検出して導通状態となる。これにより、発光ダイオード１５１に電流が供給され、当該発光ダイオード１５１が発光する。
【００１５】
以上のように、発光ダイオード１５１は、通常時においては消灯し、スピーカーユニット１２の故障時においては点灯する。すなわち、スイッチ回路であるトランジスタ１４１〜１４３と、表示回路である発光ダイオード１５１とが構成する故障表示回路は、高音が出力されなくなることにより音質が劣化する故障であるスピーカーユニット１２の故障を検出すると、発光ダイオード１５１を点灯させることにより、スピーカーユニット１２の故障を示す表示を行う。
【００１６】
これにより、スピーカーシステム１の利用者あるいは管理者は、スピーカーシステム１が故障していることを認識し得る。例えば、カラオケ店に設置されたカラオケ装置がスピーカーシステム１を具備する場合において高音ユニット１２が故障すると、発光ダイオード１５１が点灯状態となり、顧客（利用者）や店員（管理者）は、スピーカーシステム１の故障に気付くことができる。これにより、カラオケ店は、スピーカーシステム１を修理し、音質を改善して店舗のイメージを回復し得る。
【００１７】
また、トランジスタ１４１〜１４３と発光ダイオード１５１とが構成する故障表示回路は、スピーカーユニット１１に入力される音声信号にて動作するので、故障表示回路は、別途電源供給を受ける必要がない。これにより、スピーカーシステム１の構成の複雑化を回避できる。
【００１８】
また、トランジスタ１４１は、定電流回路を構成している。これにより、端子Ｔ１に入力される音声信号のレベルが大きく変化した場合に、発光ダイオード１５１に流れる電流値を制限し、当該発光ダイオード１５１の破壊を防止することができる。
【００１９】
以上、本発明の実施形態を図面を参照して詳述してきたが、具体的な構成はこの実施形態に限られるものではなく、この発明の要旨を逸脱しない範囲の設計変更等も含まれる。
【符号の説明】
【００２０】
１  スピーカーシステム
１１、１２  スピーカーユニット
１１１  低音用スピーカー
１２１、１２２  高音用スピーカー
１３１  コンデンサ
１４１〜１４３  トランジスタ
１５１  発光ダイオード
１５２  ダイオード
１６１、１６２  抵抗
【図１】
2012175179.tif 000003